【手続補正書】
【提出日】平成18年6月14日(2006.6.14)
【手続補正１】
【補正対象書類名】明細書
【補正対象項目名】特許請求の範囲
【補正方法】変更
【補正の内容】
【特許請求の範囲】
【請求項１】  少なくとも３本の柱体を含む鉛直方向配置テンションレグプラットフォーム構造体と、
複数のポンツーンと、
柱体のうち少なくとも一つに分離可能で接続する少なくとも一つの一時的安定化モジュールとを含む装置において、
ポンツーンが隣接の柱体を相互接続し、各々のモジュールの少なくとも一部が水線上方に伸展し、モジュールは構造体がその輸送、設置、作動及び／又は取外しの際に実質的に鉛直方向にて維持されるように構造体の水線面領域と構造体の安定性とを増加するように調合される、
装置。
【請求項２】  少なくとも３本の柱体を含む鉛直方向配置テンションレグプラットフォーム構造体と、
複数のポンツーンと、
複数の柱体延長部と、
柱体のうち少なくとも一つに分離可能で接続し関連の延長部上で支持される少なくとも一つの一時的安定化モジュールとを含む装置において、
ポンツーンが隣接の柱体を相互接続し、各々のモジュールの少なくとも一部が水線上方に伸展し、モジュールは構造体がその輸送、設置、作動及び／又は取外しの際に実質的に鉛直方向にて維持されるように構造体の水線面領域と構造体の安定性とを増加するように調合される、
装置。
【請求項３】  柱体を含む鉛直方向配置単体柱体フロータ構造体と、
柱体に分離可能で接続する少なくとも一つの一時的安定化モジュールとを含む装置において、
各々のモジュールの少なくとも一部が水線上方に伸展し、モジュールは構造体がその輸送、設置、作動及び／又は取外しの際に実質的に鉛直方向にて維持されるように構造体の水線面領域と構造体の安定性とを増加するように調合される、
装置。
【請求項４】  更に複数の一時的安定化モジュールを含む、請求項１、請求項２又は請求項３のうちのいずれか一つに記載の装置。
【請求項５】  少なくとも一つのモジュールが各々の柱体に分離可能で接続する、請求項１、請求項２又は請求項３のうちのいずれか一つに記載の装置。
【請求項６】  モジュールが、構造体の中心軸回りに対称的に配置される、請求項１、請求項２又は請求項３のうちのいずれか一つに記載の装置。
【請求項７】  構造体が、更にデッキ、器具、機械及び付属装置を含む、請求項１、請求項２又は請求項３のうちのいずれか一つに記載の装置。
【請求項８】  各々のモジュールを柱体に分離可能で接続するように調合された固定装置を、更に含む、請求項１、請求項２又は請求項３のうちのいずれか一つに記載の装置。
【請求項９】  固定装置が、各々の柱体に添付される複数の側面及び／又は縦方向の剪断ブロックと、モジュールに添付される少なくとも一つの移動可能ロックブロックと、構造体に添付される少なくとも一つの剪断ロックブロックとを含み、
ロックブロックが、ロックされた位置からロックされていない位置へ移行し得る、請求項８に記載の装置。
【請求項１０】  固定装置が、各々のモジュールに添付される少なくとも一つのフックと、各々の柱体に添付される少なくとも一つのペグとを含み、
フックはロック位置でペグを受け留めるように適合されている、請求項８に記載の装置。
【請求項１１】  各々のモジュールが湛水可能で、そのバラストを制御可能に変更するための弁とポンプを含む、請求項１、請求項２又は請求項３のうちのいずれか一つに記載の装置。
【請求項１２】  安定化した構造体を形成するための第１の喫水にて水域内で複数の一時的な安定化モジュールを構造体に付属するステップと、
安定化した構造体を第１のサイトから第２のサイトへ輸送するステップと、
張力の与えられた構造体を形成するため複数の腱を構造体に設置するステップと、
張力の与えられた構造体からモジュールを除去するステップと
を含む、沖合構造体を輸送する方法であって、
輸送するステップと設置するステップの際にモジュールの各々の少なくとも一部が水線上方に伸展して、モジュールが、輸送時及び腱設置時に実質的に直立した方向で構造体を維持するのに十分な程度にまで構造体の安定性を増加するよう設計されている、
方法。
【請求項１３】  安定化したプラットフォームを形成するための第１の喫水にて水域内で一つ又は複数の一時的な安定化モジュールをプラットフォームに付属するステップと、
安定化したプラットフォームを第１のサイトから第２のサイトへ輸送するステップと、
張力の与えられた構造体を形成するため複数の腱を構造体に設置するステップと、
張力の与えられた構造体からモジュールを除去するステップと
を含む、沖合テンションレグプラットフォーム又は拡張ベースのテンションレグプラットフォームを輸送する方法であって、
輸送するステップと設置するステップの際にモジュールの各々の少なくとも一部が水線上方に伸展して、モジュールが、輸送時及び腱設置時に実質的に直立した方向でプラットフォームを維持するのに十分な程度にまでプラットフォームの安定性を増加するよう設計されている、
方法。
【請求項１４】  安定化した構造体を形成するための第１の喫水にて水域内で一つ又は複数の一時的な安定化モジュールを構造体に付属するステップと、
モジュールの各々の少なくとも一部が水線上方に伸展し、モジュールが、輸送時に実質的に直立した方向で構造体を維持するのに十分な程度にまで構造体の安定性を増加して、安定化した構造体を第１のサイトから第２のサイトへ輸送するステップと、
第１の喫水を、モジュールの各々の一部が未だ水線上方に存在するより下方の設置喫水に変更するため、モジュール及び／又は構造体をバラストするステップと、
複数の腱を構造体に付属するステップと、
構造体が設置された喫水を呈することができるように構造体に張力を掛けるため、構造体及び／又はモジュールをデバラストするステップと、
構造体からモジュールを除去するステップと
を含む沖合構造体を設置する方法。
【請求項１５】  モジュールの各々の少なくとも一部が水線上方に伸展し、モジュールが、実質的に直立した方向で構造体を維持するのに十分な程度にまで構造体の安定性を増加して、複数の腱により水域の海底につながれる張力発生の喫水にて、水域内で一つ又は複数の一時的な安定化モジュールを構造体に付属するステップと、
構造体の喫水を、その張力発生の喫水から、モジュールの各々の一部が未だ水線上方に存在するより下方の腱の分離喫水に変更するため、モジュール及び／又は構造体をバラストするステップと、
腱を構造体から外すステップと、
輸送の喫水にまで、構造体及び／又はモジュールをデバラストするステップと、
新しいサイトまで実質的に直立する方向に構造体を維持するように設計されたモジュールを伴って、構造体を輸送するステップと、
構造体からモジュールを除去するステップと
を含む安定化した沖合構造体を輸送する方法。
【請求項１６】  安定化した構造体を形成するための第１の喫水にて水域内で一つ又は複数の一時的な安定化モジュールを構造体に付属するステップと、
安定化した構造体を第１のサイトから第２のサイトへ輸送するステップと、
張力の与えられた構造体を形成するため複数の腱を構造体に設置するステップと、
張力の与えられた構造体からモジュールを除去するステップと
を含む、沖合構造体を輸送する方法であって、
モジュールの各々の少なくとも一部が水線上方に伸展して、モジュールが、輸送時及び腱設置時に実質的に直立した方向で構造体を維持するのに十分な程度にまで構造体の安定性を増加するよう設計されている、
方法。
【請求項１７】  構造体が、テンションレグプラットフォーム、拡張されたベースのテンションレグプラットフォーム若しくは単体柱体フロータプラットフォームを含む、請求項１２乃至１６のうちのいずれか一つに記載の方法。
【請求項１８】  構造体がテンションレグプラットフォーム若しくは拡張されたベースのテンションレグプラットフォームを含み、
プラットフォームが少なくとも３本の柱体と、少なくとも２本の隣接する柱体を相互接続する少なくとも２本のポンツーンを含み、プラットフォームが開口中央領域を含む、請求項１２乃至１６のうちのいずれか一つに記載の方法。
【請求項１９】  各々のモジュールを柱体に分離可能で接続するように調合された固定装置を、更に含む、請求項１２乃至１６のうちのいずれか一つに記載の方法。
【請求項２０】  固定装置が、各々の柱体に添付される複数の側面及び／又は縦方向の剪断ブロックと、モジュールに添付される少なくとも一つの移動可能ロックブロックと、構造体に添付される少なくとも一つの剪断ロックブロックとを含み、
ロックブロックが、ロックされた位置からロックされていない位置へ移行し得る、請求項１９に記載の方法。
【請求項２１】  固定装置が、各々のモジュールに添付される少なくとも一つのフックと、各々の柱体に添付される少なくとも一つのペグとを含み、
フックはロック位置でペグを受け留めるように適合されている、請求項１９に記載の方法。